(57)【要約】      （修正有）【課題】強度性、耐久性に優れ長期間使用することができ、さらに安定性に優れ、ボールを打撃しても転倒、振動等することがない打撃練習装置を提供する。【解決手段】基体１には回動軸部６Ａとアーム支持部６Ｂとからなるアーム支持体６が回動可能に設けてあり、アーム支持部６Ｂにアーム７が挿設してある。アーム７はカーボンファイバー製の外層７Ａとグラスファイバー製の軸芯とから構成してあり、先端にボール９が設けてある。基体１にはボール９を受けるためのボール受け１０が設けてある。支柱３と回動軸部６Ａに設けたＴ字型接続金具を介して引っ張りばね１１及びエアシリンダ１３が設けてあり、ボール９が打撃されてアーム支持体６が回動すると引っ張りばね１１が延伸し、その縮退によってアーム支持体６を回動させる。基体１の脚接続部５にはそれぞれ接地盤１５Ｂを有する脚１５が設けてある。【選択図】図３
0003146079.tif 000002
【実用新案登録請求の範囲】
【請求項１】
基体と、該基体に直立状態から垂直方向に回動可能に設けたアームと、該アームの先端に設けたボールと、該ボールの回動軌道上に位置して前記基体に設けたボール受けと、該ボール受け方向に回動した前記アームを元の直立状態に復帰させるための復帰手段と、前記アームの回動速度を調節する回動速度調節手段とから構成し、前記アームはカーボンファイバーで成形してあることを特徴とする打撃練習装置。
【請求項２】
前記アームは、内部にグラスファイバー製の軸芯が設けてあることを特徴とする請求項１記載の打撃練習装置。
【請求項３】
前記アームは、グラスファイバー束からなる軸芯の外周にカーボンファイバーを巻装して外層を形成したものであることを特徴とする請求項１又は２記載の打撃練習装置。
【請求項４】
前記アームは、アームを挿入するための挿入穴を有し、前記基体に回動可能に設けたアーム支持体を介して配設してあり、前記アームの該挿入穴への挿入長さを調節することにより前記ボールの高さは設定可能であることを特徴とする請求項１又は３記載の打撃練習装置。
【請求項５】
前記ボール受けは、前記ボールの回動軌道上に対応するように前記基体に変位可能に設けてあることを特徴とする請求項１乃至４のいずれかに記載の打撃練習装置。
【請求項６】
前記回動速度調節手段は、前記基体とアーム間に連結してあり、該アームの回動に負荷をかけることによって回動速度を調節可能なシリンダであることを特徴とする請求項１乃至５のいずれかに記載の打撃練習装置。
【請求項７】
前記基体に平板状の接地盤を有する脚を設けたことを特徴とする請求項１乃至６のいずれかに記載の打撃練習装置。
【考案の詳細な説明】
【技術分野】
【０００１】
本考案は、野球等の球技の打撃練習に用いる打撃練習装置に関する。
【背景技術】
【０００２】
従来から野球の打撃の練習方法としては、ピッチャーが実際にボールを投げてそれを打つ実戦形式の練習方法、ピッチングマシーンが放った球を打つ方法、練習補助者が斜め方向から打者に向けてトスを上げてそれを打つ方法等がある。
【０００３】
しかし、上述の方法は球を遠方へ打ち返すことになるため練習をするためには広い場所が必要である。さらに、投球する者、守備を行う者、球拾いを行う者等の練習補助者が必要であり、気軽に練習を行うことができない。また、1人で練習を行う場合は、打って散らばった打球を拾い集めなければならず煩雑であるし、多くの時間を要し効率的に打撃練習を行うことができない。また、ピッチングマシーンは高価であるから個人的な練習で導入することは難しい。さらに、斜め方向からトスを上げる練習方法は斜めからのボールを打撃するので適切な打撃方法を習得することができないと言われている。
【０００４】
また、上述の練習方法はいずれもが球のコースが常に一定とは限らないから現実に近い打撃練習ができる反面、苦手とするコースの練習等、同じコースの打撃練習を繰り返し行うことは難しい。
【０００５】
そこで、４脚、柱、ガイドレール、ローラー基体等から構成し、擬似ボールを吊設した球技打撃練習機がある（特許文献１）。
【特許文献１】特開２００７−６１７号公報
【考案の開示】
【考案が解決しようとする課題】
【０００６】
しかし、上述の球技打撃練習機は、四脚と柱で主に構成してあり、打撃により大きな衝撃がかかる打撃練習装置としては安定性、耐久性に欠けるから、ボールを打撃すると振動、転倒したり、さらには破損したりする虞がある。また、打撃した擬似ボールは重力により元の打撃位置に復帰するように構成してあるから、復帰には時間を要するし、早く打撃位置に擬似ボールを位置させるには手で直接ボールの振動を止める必要があるから効率よく連続して打撃練習を行うことができないという欠点がある。
【０００７】
本考案は上述した従来技術の欠点に鑑みなされたもので、強度性、耐久性に優れているので長期間使用することができ、さらに安定性に優れているので、ボールを打撃しても位置がずれたり、転倒、振動したりすることがない打撃練習装置を提供することを目的とする。
【課題を解決するための手段】
【０００８】
上述した課題を解決するために構成した本考案の手段は、基体と、該基体に直立状態から垂直方向に回動可能に設けたアームと、該アームの先端に設けたボールと、該ボールの回動軌道上に位置して前記基体に設けたボール受けと、該ボール受け方向に回動した前記アームを元の直立状態に復帰させるための復帰手段と、前記アームの回動速度を調節する回動速度調節手段とから構成し、前記アームはカーボンファイバーで成形したことにある。
【０００９】
そして、前記アームは、内部にグラスファイバー製の軸芯が設けてあるとよい。
【００１０】
また、前記アームは、グラスファイバー束からなる軸芯の外周にカーボンファイバーを巻装して外層を形成するとよい。
【００１１】
また、前記アームは、アームを挿入するための挿入穴を有し、前記基体に回動可能に設けたアーム支持体を介して配設してあり、前記アームの該挿入穴への挿入長さを調節することにより前記ボールの高さは設定可能にするとよい。
【００１２】
また、前記ボール受けは、前記ボールの回動軌道上に対応するように前記基体に変位可能に設けてあるとよい。
【００１３】
また、前記回動速度調節手段は、前記基体とアーム間に連結してあり、該アームの回動に負荷をかけることによって回動速度を調節可能なシリンダにするとよい。
【００１４】
さらに、前記基体に平板状の接地盤を有する脚を設けるとよい。
【考案の効果】
【００１５】
本考案は、上述の構成とすることにより以下の諸効果を奏する。
（１）アームはカーボンファイバーで成形してあるから、強度性、耐久性に優れており、ボールを打撃することにより負荷がかかったり、誤ってアームを打ってしまっても曲がったり折れたりすることがなく長期間、多数回使用することができる。
（２）アームは、内部にグラスファイバー製の軸芯を設けることにより打撃されると適度に撓るので、強度性、耐久性に優れている。
（３）アームは、グラスファイバー束からなる軸芯の外周にカーボンファイバーを巻装して外層を形成してあるから、強度性、耐久性に優れている。
（４）アームはアーム支持体の挿入穴に挿入することにより支持してあり、挿入長さを調節することによりボールの高さは設定可能であるから、様々な高さのコースの打撃練習を行うことができ、さらに、大人から子供まで体格の大小に関わらず幅広く使用することができる。
（５）ボール受けは、ボールの回動軌道上に対応するように基体に変位可能に設けてあるから、ボールの高さを変更してもボールを確実に受けることができるし、ボールを受ける位置を定期的にずらすことにより、同じ位置に何度もボールが衝突してボール受けが磨耗することを防止することができる。
（６）回動速度調整手段としてシリンダを設けたから、アームが勢いよく打撃位置に復帰して打者等に衝突する危険性を回避することができる。
（７）回動速度調整手段としてシリンダを設けたから、ボールに打撃抵抗を負荷することができ、重量感のある球の打撃練習等、より実戦的な練習を行うことができる。
（８）基体に平板状の接地盤を有する脚を設けて地面に接する面積を増加させたので、打撃練習装置の安定性が向上し、打撃しても位置ずれしたり、転倒したりすることがない。
【考案を実施するための最良の形態】
【００１６】
以下、本考案の実施の形態を図面に基き説明する。図において、１は本考案に係る打撃練習装置を構成する基体を示す。該基体１は鋼鉄製で長尺の平板からなる２枚の基板２、２を直立した状態で対向させ、鋼鉄製丸棒からなる支柱３、３で前側と中間位置を接続することにより構成してある。また、基板２、２は、後方部２Ａを高く、前方部２Ｂを低く形成してあり、中間部２Ｃは後方部２Ａから前方部２Ｂに向かうに従って低くなっていくように傾斜状に形成してある。
【００１７】
そして、前方部２Ｂの内面には後述するボール受け１０を設けるためのガイド片４、４が対向した状態でそれぞれ水平に設けてある。また、基板２、２の前端及び後端には後述する脚１５の各々を設けるための側面略Ｌ字型に形成した脚接続部５、５・・が外向きに突出するように設けてある。脚接続部５はこのようにＬ字型に形成することにより接地幅を広くすると共に、その強度性を高めてある。
【００１８】
６は、鋼鉄製のアーム支持体を示す。該アーム支持体６は前記後方部２Ａ側で基板２、２を接続するように設けてある丸棒状の回動軸部６Ａと、後述するアーム７を挿入するための挿入穴６Ｂ１が軸方向に穿設してある筒状のアーム支持部６Ｂとから略十字型に形成してあり、回動軸部６Ａを支点としてアーム支持部６ＢがＡ、Ｂ方向に回動するように構成してある。なお、回動軸部６Ａは基板２、２を接続する役割も果たしている。
【００１９】
７は、前記挿入穴６Ｂ１に挿入することにより前記アーム支持体６に支持させてある長尺のアームを示す。図７に示すように、該アーム７はカーボンファイバー製の外層７Ａと軸方向中心に設けてあるグラスファイバー製の軸芯７Ｂとから構成してある。そして、アーム７は軸芯７Ｂにカーボンファイバー製の外層７Ａを巻きつけることにより丸棒状に成形してある。このように構成することによりアーム７は衝撃を受けると適度に撓るので強度性、耐久性に優れており、打撃練習によって負荷がかかっても曲がったりすることはない。さらに、誤ってバットで打撃してしまっても折れたり、曲がったりすることはない。耐衝撃性、耐久性に優れており、少なくとも５０万回の打撃練習に使用できるものと考えている。また、アーム７の外層７Ａは樹脂等を含浸させて硬化させてある。これによってカーボンファイバー製の外層７Ａが打撃により破損等することを防いでいる。さらに、アーム７の太さは、打撃時の邪魔にならないように後述するボール９の直径以下の細さを維持しつつ強度性、耐久性を保つために約２０ｍｍにしてある。アーム７は挿入穴６Ｂ１に挿入して固定用ネジ８、８で押圧することにより固定してあるが、固定用ネジ８を緩めることにより任意の高さに設定が可能になっている。
【００２０】
９は、アーム７の先端に設けたボールを示す。該ボール９は中実ゴム製のボール本体９Ａと、下面に開口するように挿入口（図示せず。）を形成した円筒状のボール取り付け部９Ｂとを一体に形成することにより構成してあり、該挿入口に前記アーム７の上端側を挿入し、アーム７とボール取り付け部９Ｂを一体に固着することにより設けてある。なお、軟式野球の練習に用いる場合と、公式野球の練習に用いる場合ではボール９の堅さをそれぞれ変えてある。これにより、ボール９が硬すぎてバットが凹んだり、打撃後に打者の腕が痛めることがない。また、ボール９は軟式野球用のゴム製のボールやテニスボール等球技の種類に合わせて適宜選択するとよい。ボール９は、前記固定用ネジ８を緩めてアーム７を上下動させることによって、様々な高さに設定することができる。これにより、打者が望む高さの打撃練習を行うことが可能であるし、ボール９の位置を低く設定すれば、打者の身長の高低に限らず使用することができ、大人に限らず子供も使用することができる。
【００２１】
１０は、打撃されたボール９を受けるためのボール受けを示す。該ボール受け１０は、ゴム、繊維等の衝撃吸収材で構成した衝撃吸収盤１０Ａと、該衝撃吸収盤１０Ａを支持する鋼鉄製の外枠１０Ｂと、該外枠１０Ｂの下面にＬ字型に形成した２つの係合突起１０Ｃ、１０Ｃとから構成してある。そして、ボール受け１０は、該係合突起１０Ｃを前記ガイド片４、４にそれぞれに係合させた状態で基板２、２の前方部２Ｂ、２Ｂ上に載置してあり、固定用ねじ（図示せず。）で固定してある。このように構成することにより、固定用ねじを緩めればボール受け１０を基体１から外れることなく基体１上を摺動させてその位置を任意に変更することが可能であり、上述のようにボール９の高さを変更した場合でもそれに合わせてボール９の回動軌道上にボール受け１０を正確に位置させることができる。ボール受け１０を設けたことにより、打撃されたボール９が地面に衝突することを防ぐとともに、衝突音から打撃の良し悪しの判断を行ったり、爽快感を得ることもできる。また、ボール受け１０の位置をわずかに変更してボール９と衝撃吸収盤１０Ａの衝突位置をずらすことによって、常にボール９が衝撃吸収盤１０Ａの同じ位置に衝突して衝撃吸収盤１０Ａが磨耗してしまうことを防止して長期的に使用することができる。
【００２２】
１１、１１は、ボール９を打撃したことによりボール受け１０方向に傾倒したアーム７を打撃位置である元の直立状態に復帰させるための２本の引張りばねを示す。該引張りばね１１、１１は前記中間の支柱３と回動軸部６Ａに夫々設けたＴ字型接続金具１２、１２を介して張設してあり、ボール９が打撃されてアーム支持体６がＡ方向に回動すると延伸し、その縮退作用によってアーム支持体６をＢ方向に回動させる。
【００２３】
１３は、アーム支持体６の回動速度調節手段としてのエアシリンダを示す。該エアシリンダ１３は、引張りばね１１、１１間に位置して前記Ｔ字型接続金具１２、１２を介して支柱３と回動軸部６Ａを連結するように設けてある。そして、エアシリンダ１３には、往復どちらの方向に対してもブレーキとして作動するブレーキシリンダを用いており、引張りばね１１の伸長方向に対する負荷を調整することによって、ボール９が打撃されてＡ方向に回動するときは打撃抵抗用として機能し、さらに引張りばね１１の縮退作用によりアーム７がＢ方向に回動して元の打撃位置に復帰する際は復帰速度調整用として機能させることが可能である。
【００２４】
１４は、復帰するアーム支持体６が打撃位置である直立状態からボール受け１０とは逆方向にさらに回動することを防ぐためのストッパーを示す。該ストッパー１４は棒状に形成してあり、アーム支持体６のアーム挿入部６Ｂの下端に当接する位置に基板２、２に架設してある。したがって、ストッパー１４は基板２、２を接続する役割も果たしている。なお、ストッパー１４とアーム挿入部６Ｂの当接部分に衝撃吸収材を設けてもよい。これにより不快な衝突音の発生を防ぐとともに、耐久性の向上を図ることができる。
【００２５】
１５、１５・・は、前記脚接続部５にそれぞれに設けてある脚を示す。該脚１５はボルト部１５Ａと該ボルト部１５Ａの下端に設けた円盤状に形成した接地盤１５Ｂとから構成してあり、脚接続部５にナットで固定してある。脚１５に接地盤１５Ｂを設けて地面との接触面を広くすることにより安定性を高めてあるから、打撃により打撃練習装置１全体に衝撃が加わっても位置ずれしたり、転倒したりすることがなく、安全に打撃練習を行うことができる。
【００２６】
本実施の形態は上述の構成からなっており、次にその作用及び使用方法について説明する。先ず、アーム７を直立に起立させてボール９を打撃位置に位置させ、アーム７の挿入穴６Ｂ１への挿入長さを調節することによりボール９を打者が所望する高さに設定する。
【００２７】
そして、打撃位置にあるボール９をボール受け１０方向に向けて打者がバットで打撃する。この打撃力により回動軸部６Ａがボール受け１０方向のＡ方向に回動し、これに連動してアーム７がＡ方向に傾動し、ボール９がボール受け１０に衝突する。ボール受け１０は衝撃吸収材により形成してあるから、衝突による衝撃を吸収することで衝突後ボール９が何度もバウンドすることはない。
【００２８】
打撃の際、打撃力が大きいと勢いよくボール９がボール受け１０に衝突するが、各々が接地盤１５Ｂを有する４つの脚１５を設けることにより打撃練習装置の安定性を高めてあるから、打撃の衝撃で打撃練習装置の位置がずれたり、不安定に振動することはない。また、アーム７は外層７Ａをカーボンファイバーで成形してあり、さらに内部にグラスファイバー製の軸芯７Ｂが設けてあるから耐久性、強度性に優れており、誤ってバットで打撃してしまってもアーム７は折れたり、曲がったりすることはない。したがって、打撃練習装置全体として従来の打撃練習装置と比較して耐久性、強度性が格段に向上しており長期間、多数回の使用にも耐えることができる。
【００２９】
なお、回動速度調節機構であるエアシリンダ１３によるアーム支持体６のＡ方向への回動に対する負荷の度合いを調節することによってボール９に打撃抵抗を付与することができる。抵抗を大きくすることによってより大きい力で打撃しなければならないから重量感のある球の打撃練習も行うことができる。
【００３０】
ボール９が打撃されアーム支持体６がＡ方向に回動すると、アーム支持体６と支柱３間に張設してある引張りばね１１、１１が延伸する。そして、ボール９がボール受け１０に衝突した後、引張りばね１１、１１の縮退する復元力によってアーム支持体６がＢ方向に回動し、この回動に連動してアーム７が起き上がる。そしてアーム７が略直立状態まで起き上がるとアーム挿入部６Ｂの下端がストッパー１４に当接してアーム支持体６の回動が止まる。このようにしてアーム７は直立状態に保持され、ボール９は元の打撃位置に復帰する。そして、このボール９を再びバットで打撃することができるから、効率よく連続して打撃練習を行うことができる。また、ストッパー１４と当接することによりアーム支持体６の回動を止めてアーム７の直立状態を保持するので、アーム７が直立状態に復帰後ボール９は残留振動することがなく、打撃位置復帰後即座に再び打撃を行うことができ練習効率をより高めることができる。
【００３１】
エアシリンダ１３は、引張りばね１１、１１にその復元方向とは逆方向に負荷をかけることによってアーム支持体６のＢ方向への回動速度を遅くし、ボール９の直立状態への復帰速度を調節することができる。エアシリンダ１３により負荷を大きく設定するのに比例して、ボール９の復帰速度は緩やかになっていく。これによって、打撃のペースとボール９の復帰速度を一致させることができ、効率よく打撃練習を行うことができる。また、復帰速度を緩やかにすることにより、速い速度で勢いよくアーム７が起き上がることを防いで安全性を高めることができる。
【００３２】
このようにして、本発明に係る打撃練習装置によれば、打撃後ボール９が自動的に元の打撃位置に復帰するのでボールを拾う、ボールを直接手で打撃位置に固定する等の作業は必要はなく、連続して効率的に打撃練習を行うことができる。また、打撃練習方法としては、打撃位置に復帰して停止しているボール９を打つ練習の他に、打撃位置に戻ってくるボール９にタイミングを合わせて打撃するより実戦に近い練習も行うことができる。
【００３３】
本考案は、野球の打撃練習の他、ソフトボール、テニス等の他の球技の打撃練習にも用いることができる。
【００３４】
なお、打撃練習装置の可搬性を高めるために脚接続部５にキャスタを設けてもよい。
【図面の簡単な説明】
【００３５】
【図１】打撃練習装置の平面図である。
【図２】打撃練習装置の側面図である。
【図３】打撃練習装置の外観斜視図である。
【図４】打撃練習装置の片側の基板を外した状態の外観斜視図である。
【図５】打撃練習装置の部分正面図である。
【図６】打撃練習装置の部分背面図である。
【図７】アームの断面図である。
【図８】ボールがボール受けに衝突した状態の打撃練習装置の側面図である。
【符号の説明】
【００３６】
１      基体
６      アーム支持体
７      アーム
７Ｂ    軸芯
９      ボール
１０    ボール受け
１１    引張りばね（復帰手段）
１３    エアシリンダ（回動速度調節手段）
１５    脚
１５Ｂ  接地盤
【図１】
0003146079.tif 000003
【図２】
0003146079.tif 000004
【図３】
0003146079.tif 000005
【図４】
0003146079.tif 000006
【図５】
0003146079.tif 000007
【図６】
0003146079.tif 000008
【図７】
0003146079.tif 000009
【図８】
0003146079.tif 000010